【手続補正書】
【提出日】令和3年3月24日(2021.3.24)
【手続補正１】
【補正対象書類名】明細書
【補正対象項目名】発明の名称
【補正方法】変更
【補正の内容】
【発明の名称】携帯端末及びプログラム
【手続補正２】
【補正対象書類名】明細書
【補正対象項目名】０００１
【補正方法】変更
【補正の内容】
【０００１】
本発明は、携帯端末及びプログラムに関する。
【手続補正３】
【補正対象書類名】明細書
【補正対象項目名】０００８
【補正方法】変更
【補正の内容】
【０００８】
本発明の目的は、携帯端末における送信に関する操作性を向上させた携帯端末及びプログラムを提供することにある。
【手続補正４】
【補正対象書類名】明細書
【補正対象項目名】０００９
【補正方法】変更
【補正の内容】
【０００９】
上記目的を達成するために、本発明の請求項１に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末を近づける必要があることを示す情報を、前記画像処理装置の前記機能で用いられる設定を確定する操作をユーザから受け付けたことによって表示する表示工程と、前記近距離無線通信とは異なる通信方式の無線通信であって、前記接続情報を用いて確立された無線通信を用いて、前記画像処理装置に前記確定された設定を送信する送信工程とを実行させることを特徴とする。
また、上記目的を達成するために、本発明の請求項２に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末を近づける必要があることを示す情報を、前記画像処理装置の前記機能で用いられる設定を受け付けるための操作をユーザから受け付けたことによって表示する表示工程と、前記近距離無線通信とは異なる通信方式の無線通信であって、前記接続情報を用いて確立された無線通信を用いて、前記画像処理装置に前記受け付けられた設定を送信する送信工程とを実行させることを特徴とする。
また、上記目的を達成するために、本発明の請求項３に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末をタッチする必要があることを示す情報を、前記画像処理装置の前記機能で用いられる設定を確定する操作をユーザから受け付けたことによって表示する表示工程と、前記近距離無線通信とは異なる通信方式の無線通信であって、前記接続情報を用いて確立された無線通信を用いて、前記画像処理装置に前記確定された設定を送信する送信工程とを実行させることを特徴とする。
また、上記目的を達成するために、本発明の請求項４に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末をタッチする必要があることを示す情報を、前記画像処理装置の前記機能で用いられる設定を受け付けるための操作をユーザから受け付けたことによって表示する表示工程と、前記近距離無線通信とは異なる通信方式の無線通信であって、前記接続情報を用いて確立された無線通信を用いて、前記画像処理装置に前記受け付けられた設定を送信する送信工程とを実行させることを特徴とする。
また、上記目的を達成するために、本発明の請求項５に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末を近づけることを促す情報を、前記画像処理装置の前記機能で用いられる設定を確定する操作をユーザから受け付けたことによって表示する表示工程と、前記近距離無線通信とは異なる通信方式の無線通信であって、前記接続情報を用いて確立された無線通信を用いて、前記画像処理装置に前記確定された設定を送信する送信工程とを実行させることを特徴とする。
また、上記目的を達成するために、本発明の請求項６に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末を近づけることを促す情報を、前記画像処理装置の前記機能で用いられる設定を受け付けるための操作をユーザから受け付けたことによって表示する表示工程と、前記近距離無線通信とは異なる通信方式の無線通信であって、前記接続情報を用いて確立された無線通信を用いて、前記画像処理装置に前記受け付けられた設定を送信する送信工程とを実行させることを特徴とする。
また、上記目的を達成するために、本発明の請求項７に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末をタッチすることを促す情報を、前記画像処理装置の前記機能で用いられる設定を確定する操作をユーザから受け付けたことによって表示する表示工程と、前記近距離無線通信とは異なる通信方式の無線通信であって、前記接続情報を用いて確立された無線通信を用いて、前記画像処理装置に前記確定された設定を送信する送信工程とを実行させることを特徴とする。
また、上記目的を達成するために、本発明の請求項８に係るプログラムは、原稿の画像を読み取り、当該画像に基づいて画像データを生成するための機能を有する画像処理装置から近距離無線通信を用いて接続情報を受信する携帯端末に、前記画像処理装置に前記携帯端末をタッチすることを促す情報を、前記画像処理装置の前記機能で用いられる設定を受け付けるための操作をユーザから受け付けたことによって表示する表示工程と、前記近距離無線通信とは異なる通信方式の無線通信であって、前記接続情報を用いて確立された無線通信を用いて、前記画像処理装置に前記受け付けられた設定を送信する送信工程とを実行させることを特徴とする。
【手続補正５】
【補正対象書類名】明細書
【補正対象項目名】００１０
【補正方法】変更
【補正の内容】
【００１０】
本発明によれば、携帯端末における送信に関する操作性を向上させることができる。
【手続補正６】
【補正対象書類名】特許請求の範囲
【補正対象項目名】全文
【補正方法】変更
【補正の内容】
【特許請求の範囲】
【請求項１】
原稿の画像を読み取り、当該画像に基づいて画像データを生成するための機能を有する画像処理装置から近距離無線通信を用いて接続情報を受信する携帯端末に、
前記画像処理装置に前記携帯端末を近づける必要があることを示す情報を、前記画像処理装置の前記機能で用いられる設定を確定する操作をユーザから受け付けたことによって表示する表示工程と、
前記近距離無線通信とは異なる通信方式の無線通信であって、前記接続情報を用いて確立された無線通信を用いて、前記画像処理装置に前記確定された設定を送信する送信工程とを実行させることを特徴とするプログラム。
【請求項２】
原稿の画像を読み取り、当該画像に基づいて画像データを生成するための機能を有する画像処理装置から近距離無線通信を用いて接続情報を受信する携帯端末に、
前記画像処理装置に前記携帯端末を近づける必要があることを示す情報を、前記画像処理装置の前記機能で用いられる設定を受け付けるための操作をユーザから受け付けたことによって表示する表示工程と、
前記近距離無線通信とは異なる通信方式の無線通信であって、前記接続情報を用いて確立された無線通信を用いて、前記画像処理装置に前記受け付けられた設定を送信する送信工程とを実行させることを特徴とするプログラム。
【請求項３】
原稿の画像を読み取り、当該画像に基づいて画像データを生成するための機能を有する画像処理装置から近距離無線通信を用いて接続情報を受信する携帯端末に、
前記画像処理装置に前記携帯端末をタッチする必要があることを示す情報を、前記画像処理装置の前記機能で用いられる設定を確定する操作をユーザから受け付けたことによって表示する表示工程と、
前記近距離無線通信とは異なる通信方式の無線通信であって、前記接続情報を用いて確立された無線通信を用いて、前記画像処理装置に前記確定された設定を送信する送信工程とを実行させることを特徴とするプログラム。
【請求項４】
原稿の画像を読み取り、当該画像に基づいて画像データを生成するための機能を有する画像処理装置から近距離無線通信を用いて接続情報を受信する携帯端末に、
前記画像処理装置に前記携帯端末をタッチする必要があることを示す情報を、前記画像処理装置の前記機能で用いられる設定を受け付けるための操作をユーザから受け付けたことによって表示する表示工程と、
前記近距離無線通信とは異なる通信方式の無線通信であって、前記接続情報を用いて確立された無線通信を用いて、前記画像処理装置に前記受け付けられた設定を送信する送信工程とを実行させることを特徴とするプログラム。
【請求項５】
原稿の画像を読み取り、当該画像に基づいて画像データを生成するための機能を有する画像処理装置から近距離無線通信を用いて接続情報を受信する携帯端末に、
前記画像処理装置に前記携帯端末を近づけることを促す情報を、前記画像処理装置の前記機能で用いられる設定を確定する操作をユーザから受け付けたことによって表示する表示工程と、
前記近距離無線通信とは異なる通信方式の無線通信であって、前記接続情報を用いて確立された無線通信を用いて、前記画像処理装置に前記確定された設定を送信する送信工程とを実行させることを特徴とするプログラム。
【請求項６】
原稿の画像を読み取り、当該画像に基づいて画像データを生成するための機能を有する画像処理装置から近距離無線通信を用いて接続情報を受信する携帯端末に、
前記画像処理装置に前記携帯端末を近づけることを促す情報を、前記画像処理装置の前記機能で用いられる設定を受け付けるための操作をユーザから受け付けたことによって表示する表示工程と、
前記近距離無線通信とは異なる通信方式の無線通信であって、前記接続情報を用いて確立された無線通信を用いて、前記画像処理装置に前記受け付けられた設定を送信する送信工程とを実行させることを特徴とするプログラム。
【請求項７】
原稿の画像を読み取り、当該画像に基づいて画像データを生成するための機能を有する画像処理装置から近距離無線通信を用いて接続情報を受信する携帯端末に、
前記画像処理装置に前記携帯端末をタッチすることを促す情報を、前記画像処理装置の前記機能で用いられる設定を確定する操作をユーザから受け付けたことによって表示する表示工程と、
前記近距離無線通信とは異なる通信方式の無線通信であって、前記接続情報を用いて確立された無線通信を用いて、前記画像処理装置に前記確定された設定を送信する送信工程とを実行させることを特徴とするプログラム。
【請求項８】
原稿の画像を読み取り、当該画像に基づいて画像データを生成するための機能を有する画像処理装置から近距離無線通信を用いて接続情報を受信する携帯端末に、
前記画像処理装置に前記携帯端末をタッチすることを促す情報を、前記画像処理装置の前記機能で用いられる設定を受け付けるための操作をユーザから受け付けたことによって表示する表示工程と、
前記近距離無線通信とは異なる通信方式の無線通信であって、前記接続情報を用いて確立された無線通信を用いて、前記画像処理装置に前記受け付けられた設定を送信する送信工程とを実行させることを特徴とするプログラム。
【請求項９】
前記機能は、前記画像処理装置が原稿の画像を読み取り、当該画像に基づく画像データを生成し、当該生成された画像データを送信する機能であることを特徴とする請求項１乃至８の何れか１項に記載のプログラム。
【請求項１０】
前記画像処理装置が前記機能を実行することで、前記生成された画像データを送信する宛先は、前記携帯端末から受信した情報に基づいて決定されることを特徴とする請求項９に記載のプログラム。
【請求項１１】
前記機能で用いられる設定は、読取設定であることを特徴とする請求項１乃至１０の何れか１項に記載のプログラム。
【請求項１２】
前記画像処理装置は、前記送信工程で送信された前記読取設定に基づいて原稿の画像を読み取り、当該画像に基づく画像データを生成することを特徴とする請求項１１に記載のプログラム。
【請求項１３】
前記表示工程は、前記画像処理装置と前記近距離無線通信が行われる前から前記携帯端末に前記設定を受け付けるための画面を表示することを特徴とする請求項１乃至１２の何れか１項に記載のプログラム。
【請求項１４】
前記接続情報は、前記画像処理装置のＩＰアドレスであることを特徴とする請求項１乃至１３の何れか１項に記載のプログラム。
【請求項１５】
原稿の画像を読み取り、当該画像に基づいて画像データを生成するための機能を有する画像処理装置から近距離無線通信を用いて接続情報を受信する携帯端末であって、
前記画像処理装置に前記携帯端末を近づける必要があることを示す情報を、前記画像処理装置の前記機能で用いられる設定を確定する操作をユーザから受け付けたことによって表示する表示手段と、
前記近距離無線通信とは異なる通信方式の無線通信であって、前記接続情報を用いて確立された無線通信を用いて、前記画像処理装置に前記確定された設定を送信する送信手段とを有することを特徴とする携帯端末。
【請求項１６】
原稿の画像を読み取り、当該画像に基づいて画像データを生成するための機能を有する画像処理装置から近距離無線通信を用いて接続情報を受信する携帯端末であって、
前記画像処理装置に前記携帯端末を近づける必要があることを示す情報を、前記画像処理装置の前記機能で用いられる設定を受け付けるための操作をユーザから受け付けたことによって表示する表示手段と、
前記近距離無線通信とは異なる通信方式の無線通信であって、前記接続情報を用いて確立された無線通信を用いて、前記画像処理装置に前記受け付けられた設定を送信する送信手段とを有することを特徴とする携帯端末。
【請求項１７】
原稿の画像を読み取り、当該画像に基づいて画像データを生成するための機能を有する画像処理装置から近距離無線通信を用いて接続情報を受信する携帯端末であって、
前記画像処理装置に前記携帯端末をタッチする必要があることを示す情報を、前記画像処理装置の前記機能で用いられる設定を確定する操作をユーザから受け付けたことによって表示する表示手段と、
前記近距離無線通信とは異なる通信方式の無線通信であって、前記接続情報を用いて確立された無線通信を用いて、前記画像処理装置に前記確定された設定を送信する送信手段とを有することを特徴とする携帯端末。
【請求項１８】
原稿の画像を読み取り、当該画像に基づいて画像データを生成するための機能を有する画像処理装置から近距離無線通信を用いて接続情報を受信する携帯端末であって、
前記画像処理装置に前記携帯端末をタッチする必要があることを示す情報を、前記画像処理装置の前記機能で用いられる設定を受け付けるための操作をユーザから受け付けたことによって表示する表示手段と、
前記近距離無線通信とは異なる通信方式の無線通信であって、前記接続情報を用いて確立された無線通信を用いて、前記画像処理装置に前記受け付けられた設定を送信する送信手段とを有することを特徴とする携帯端末。
【請求項１９】
原稿の画像を読み取り、当該画像に基づいて画像データを生成するための機能を有する画像処理装置から近距離無線通信を用いて接続情報を受信する携帯端末であって、
前記画像処理装置に前記携帯端末を近づけることを促す情報を、前記画像処理装置の前記機能で用いられる設定を確定する操作をユーザから受け付けたことによって表示する表示手段と、
前記近距離無線通信とは異なる通信方式の無線通信であって、前記接続情報を用いて確立された無線通信を用いて、前記画像処理装置に前記確定された設定を送信する送信手段とを有することを特徴とする携帯端末。
【請求項２０】
原稿の画像を読み取り、当該画像に基づいて画像データを生成するための機能を有する画像処理装置から近距離無線通信を用いて接続情報を受信する携帯端末であって、
前記画像処理装置に前記携帯端末を近づけることを促す情報を、前記画像処理装置の前記機能で用いられる設定を受け付けるための操作をユーザから受け付けたことによって表示する表示手段と、
前記近距離無線通信とは異なる通信方式の無線通信であって、前記接続情報を用いて確立された無線通信を用いて、前記画像処理装置に前記受け付けられた設定を送信する送信手段とを有することを特徴とする携帯端末。
【請求項２１】
原稿の画像を読み取り、当該画像に基づいて画像データを生成するための機能を有する画像処理装置から近距離無線通信を用いて接続情報を受信する携帯端末であって、
前記画像処理装置に前記携帯端末をタッチすることを促す情報を、前記画像処理装置の前記機能で用いられる設定を確定する操作をユーザから受け付けたことによって表示する表示手段と、
前記近距離無線通信とは異なる通信方式の無線通信であって、前記接続情報を用いて確立された無線通信を用いて、前記画像処理装置に前記確定された設定を送信する送信手段とを有することを特徴とする携帯端末。
【請求項２２】
原稿の画像を読み取り、当該画像に基づいて画像データを生成するための機能を有する画像処理装置から近距離無線通信を用いて接続情報を受信する携帯端末であって、
前記画像処理装置に前記携帯端末をタッチすることを促す情報を、前記画像処理装置の前記機能で用いられる設定を受け付けるための操作をユーザから受け付けたことによって表示する表示手段と、
前記近距離無線通信とは異なる通信方式の無線通信であって、前記接続情報を用いて確立された無線通信を用いて、前記画像処理装置に前記受け付けられた設定を送信する送信手段とを有することを特徴とする携帯端末。
【請求項２３】
前記機能は、前記画像処理装置が原稿の画像を読み取り、当該画像に基づく画像データを生成し、当該生成された画像データを送信する機能であることを特徴とする請求項１５乃至２２の何れか１項に記載の携帯端末。
【請求項２４】
前記画像処理装置が前記機能を実行することで、前記生成された画像データを送信する宛先は、前記携帯端末から受信した情報に基づいて決定されることを特徴とする請求項２３に記載の携帯端末。
【請求項２５】
前記機能で用いられる設定は、読取設定であることを特徴とする請求項１５乃至２４の何れか１項に記載の携帯端末。
【請求項２６】
前記画像処理装置は、前記送信手段が送信した前記読取設定に基づいて原稿の画像を読み取り、当該画像に基づく画像データを生成することを特徴とする請求項２５に記載の携帯端末。
【請求項２７】
前記表示手段は、前記画像処理装置と前記近距離無線通信が行われる前から前記携帯端末に前記設定を受け付けるための画面を表示することを特徴とする請求項１５乃至２６の何れか１項に記載の携帯端末。
【請求項２８】
前記接続情報は、前記画像処理装置のＩＰアドレスであることを特徴とする請求項１５乃至２７の何れか１項に記載の携帯端末。